(57)【要約】      （修正有）【課題】立体表示オブジェクトに対して、視認性を向上する。【解決手段】立体表示可能な表示部に対して立体表示を行う表示手段と、前記立体表示オブジェクトを表示手段上に表示する通常表示手段と、前記立体表示オブジェクトを視差方向と並行な描画に比べて視差方向と垂直な方向の描画を表示手段上に強調表示する強調表示手段と、前記立体表示オブジェクトの出現時に強調表示手段により強調表示を行い、強調表示開始から所定の期間経過後に前記立体オブジェクトを通常表示手段により通常表示する表示制御手段と、を具備する。前記立体表示オブジェクトの移動時に強調表示手段により強調表示を行い、強調表示開始から所定の期間経過後に前記立体オブジェクトを通常表示手段により通常表示する。【選択図】図３
2016010076.tif 000002
【特許請求の範囲】
【請求項１】
立体表示可能な表示部に対して立体表示を行う表示手段と、
立体表示オブジェクトを表示手段上に表示する通常表示手段と、
前記立体表示オブジェクトを視差方向と並行な描画に比べて視差方向と垂直な方向の描画を前記表示手段上に強調表示する強調表示手段と、
前記立体表示オブジェクトの出現時に前記強調表示手段により強調表示を行い、強調表示開始から所定の期間経過後に前記立体オブジェクトを通常表示手段により通常表示する表示制御手段と、
を具備することを特徴とする表示装置。
【請求項２】
立体表示可能な表示部に対して立体表示を行う表示手段と、
立体表示オブジェクトを表示手段上に表示する表示手段と、
前記立体表示オブジェクトを視差方向に並行な描画が少なく、もしくは、無いように表示手段に変形表示する変形表示手段と、
前記立体表示オブジェクトの出現時に前記変形表示手段により変形表示を行い、変形表示開始から所定の期間経過後に前記立体オブジェクトを通常表示手段により通常表示する表示制御手段と、
を具備することを特徴とする表示装置。
【請求項３】
立体表示可能な表示部に対して立体表示を行う表示手段と、
立体表示オブジェクトを表示手段上に表示する通常表示手段と、
前記立体表示オブジェクトを視差方向と並行な描画に比べて視差方向と垂直な方向の描画を前記表示手段上に強調表示する強調表示手段と、
前記立体表示オブジェクトの移動時に前記強調表示手段により強調表示を行い、強調表示開始から所定の期間経過後に前記立体オブジェクトを通常表示手段により通常表示する表示制御手段と、
を具備することを特徴とする表示装置。
【請求項４】
立体表示可能な表示部に対して立体表示を行う表示手段と、
立体表示オブジェクトを表示手段上に表示する表示手段と、
前記立体表示オブジェクトを視差方向に並行な描画が少なく、もしくは、無いように表示手段に変形表示する変形表示手段と、
前記立体表示オブジェクトの移動時に前記変形表示手段により変形表示を行い、変形表示開始から所定の期間経過後に前記立体オブジェクトを通常表示手段により通常表示する表示制御手段と、
を具備することを特徴とする表示装置。
【請求項５】
さらに、立体表示オブジェクトの移動時に強調表示手段により強調表示を行い、強調表示開始から所定の期間経過後に立体オブジェクトを通常表示手段により通常表示する第二の表示制御手段、
を具備することを特徴とする請求項１に記載の表示装置。
【請求項６】
さらに、立体表示オブジェクトの移動時に変形表示手段により変形表示を行い、変形表示開始から所定の期間経過後に立体オブジェクトを通常表示手段により通常表示する第二の表示制御手段、
を具備することを特徴とする請求項２に記載の表示装置。
【請求項７】
移動時とは、立体表示オブジェクトの表示手段上の面内移動、および、表示手段上の飛び出し方向の移動、であることを特徴とする請求項２に記載の表示装置。
【請求項８】
移動時とは、立体表示オブジェクトの表示手段上の面内移動、および、表示手段上の飛び出し方向の移動、であることを特徴とする請求項４に記載の表示装置。
【発明の詳細な説明】
【技術分野】
【０００１】
本発明は、３次元映像信号を取り扱うことが可能な表示装置に関するものである。
【背景技術】
【０００２】
近年、撮像装置にレンズを２つ並べて配置し、それぞれのレンズから入力された映像信号を、左右の眼に対して再生し、視差を利用して映像信号を立体的に認識させる３次元撮像装置が提案されている(特許文献１)。
【０００３】
また、３次元映像の再生に関し、３次元映像を立体的に認識するため、偏光メガネや電子シャッター付きメガネをかけて視聴する方法や、メガネなしで３次元映像を立体的に認識するため、レンチキュラを用いた方法が提案されている。
【０００４】
上記技術に共通して、表示装置にアイコンやボタンなどのオブジェクトを立体表示する技術がある。
【先行技術文献】
【特許文献】
【０００５】
【特許文献１】特開平０７-０７５１３５号公報
【発明の概要】
【発明が解決しようとする課題】
【０００６】
しかしながら、上記従来例では、視差方向と水平方向の直線方向の描画が多いオブジェクト形状の場合には、視差方向と水平方向の直線方向の描画が左右の眼球にて認識する際に重複してしまうため、視差を利用者が判定することが困難であった。
【０００７】
そのため、このような立体表示オブジェクトを表示開始、または、移動した際に、利用者が視差量を把握するまでに時間がかかってしまったり、表示期間が短い場合には利用者が視差量を把握できず立体視できないという問題点があった。
【課題を解決するための手段】
【０００８】
本発明の表示装置は、
立体表示可能な表示部に対して立体表示を行う表示手段と、
立体表示オブジェクトを表示手段上に表示する通常表示手段と、
前記立体表示オブジェクトを視差方向と並行な描画に比べて視差方向と垂直な方向の描画を前記表示手段上に強調表示する強調表示手段と、
前記立体表示オブジェクトの出現時に前記強調表示手段により強調表示を行い、強調表示開始から所定の期間経過後に前記立体オブジェクトを通常表示手段により通常表示する表示制御手段と、
を具備することを特徴とする。
【０００９】
さらに、前記立体表示オブジェクトの移動時に前記強調表示手段により強調表示を行い、前記強調表示開始から所定の期間経過後に前記立体オブジェクトを前記通常表示手段により通常表示する第二の表示制御手段、
を具備することを特徴とする。
【発明の効果】
【００１０】
本発明によれば、即座な視認性が要求されるオブジェクトに対して、利用者が視差量を特定しやすい形状に強調表示することができるため、視認性を向上することができる。
【００１１】
また、移動する表示に対して、移動量が大きい場合にも、利用者が視差量を特定しやすい形状に強調表示することができるため、視認性を向上することができる。
【図面の簡単な説明】
【００１２】
【図１】本発明を適用したデジタルカメラの外観図
【図２】本発明を適用したデジタルカメラの構成図
【図３】本発明を適用したデジタルカメラの制御フローチャート図
【図４】本発明を適用したデジタルカメラの表示例１
【図５】本発明を適用したデジタルカメラの表示例２
【発明を実施するための形態】
【００１３】
＜第１の実施形態＞
以下、図面を参照して本発明の好適な実施形態を説明する。
【００１４】
図１に本発明の撮像装置の一例としてのデジタルカメラの外観図を示す。表示部２８は画像や各種情報を表示する表示部である。シャッターボタン６１は撮影指示を行うための操作部である。モードダイアル６０は各種モードを切り替えるための操作部である。コネクタ１１２は接続ケーブルとデジタルカメラ１００とのコネクタである。操作部７０はユーザーからの各種操作を受け付ける各種スイッチ、ボタン、タッチパネル等の操作部材より成る操作部である。コントローラーホイール７３は操作部７０に含まれる回転操作可能な操作部材である。７２は電源スイッチであり、電源オン、電源オフを切り替える。
【００１５】
記録媒体は２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０２は記録媒体スロット２０１の蓋である。
【００１６】
図２は、本実施形態によるデジタルカメラ１００の構成例を示すブロック図である。図２において、１０３はフォーカスレンズを含む撮影レンズ、１０１は絞り機能を備えるシャッター、２２は光学像を電気信号に変換するＣＣＤやＣＭＯＳ素子等で構成される撮像部である。撮影レンズ１０３、シャッター１０１、撮像部２２は、左右それぞれの眼に対する信号を生成するため、２個で構成されている。２３はＡ／Ｄ変換器であり、アナログ信号をデジタル信号に変換する。Ａ／Ｄ変換器２３は、撮像部２２から出力されるアナログ信号をデジタル信号に変換するために用いられる。
【００１７】
１０２はバリアであり、デジタルカメラ１００の、撮影レンズ１０３を含む撮像部を覆うことにより、撮影レンズ１０３、シャッター１０１、撮像部２２を含む撮像系の汚れや破損を防止する。
【００１８】
２４は画像処理部であり、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１９】
また、画像処理部２４は、左右のそれぞれの眼に対する画像データを合成し、立体視が可能な３次元画像データを生成する。また、システム制御部５０の指示により、３次元画像データと２次元画像データの生成切り替え処理も行っている。
【００２０】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２１】
また、メモリ３２は画像表示用のメモリ（ビデオメモリ）を兼ねている。１３はＤ／Ａ変換器であり、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換部１３においてアナログ変換し、表示部２８に逐次転送して表示することで、電子ビューファインダ（スルー画像表示）として機能する。
【００２２】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２３】
５０はシステム制御部であり、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。
【００２４】
システムタイマー５３は各種制御に用いる時間や、内蔵された時計の時間を計測する計時部である。モード切替スイッチ６０、第１シャッタースイッチ６１、第２シャッタースイッチ６２、操作部７０はシステム制御部５０に各種の動作指示を入力するための操作手段である。
【００２５】
モード切替スイッチ６０は、システム制御部５０の動作モードを静止画記録モード、動画記録モード、再生モード等のいずれかに切り替える。第１シャッタースイッチ６１は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２６】
第２シャッタースイッチ６２は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２７】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン、画像輪郭強調ボタン、フォーカス位置拡大ボタン等がある。例えば、メニューボタンが押されると各種の設定可能なメニュー画面が表示部２８に表示される。利用者は、表示部２８に表示されたメニュー画面と、４方向ボタンやＳＥＴボタンとを用いて直感的に各種設定を行うことができる。
【００２８】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。
【００２９】
例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００３０】
８０は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３１】
３０は電源部であり、アルカリ電池やリチウム電池等の一次電池やＮｉＣｄ電池やＮｉＭＨ電池、Ｌｉ電池等の二次電池、ＡＣアダプター等からなる。１８はメモリカードやハードディスク等の記録媒体２００とのインターフェースである。記録媒体２００は、メモリカード等の記録媒体であり、半導体メモリや磁気ディスク等から構成される。
【００３２】
次に、図３のフローチャートに基づいて、本発明を実施したデジタルカメラ１００における立体表示オブジェクトの強調表示制御について説明する。まず、Ｓ３０１において、システム制御部５０は、メモリ３２にタイマのエリアを設定して初期化処理を行い、Ｓ３０２に進む。なお、このタイマは、後述するオブジェクトの強調表示を行う際のタイムアウト処理に関するタイマである。
【００３３】
次に、Ｓ３０２において、システム制御部５０は、画像処理部２４に対してオブジェクトを非表示とするよう指示し、非表示処理を行ってＳ３０３に進む。
【００３４】
次に、Ｓ３０３において、システム制御部は、シャッターボタン６１、シャッターボタン６２、操作部７０、その他の内部状態、を参照し、オブジェクトを表示するか非表示とするかの判定を行い、Ｓ３０４に進む。
【００３５】
次に、Ｓ３０４において、上記Ｓ３０３の判定の判定結果が表示の場合にはＳ３０５に進み、非表示の場合にはＳ３０１に戻る条件分岐処理を行う。
【００３６】
Ｓ３０５において、システム制御部５０は、タイマを所定の値t1にセットして、Ｓ３０６に進む。
【００３７】
Ｓ３０６において、システム制御部５０は、画像処理部２４に対してオブジェクト強調表示処理を指示し、Ｓ３０７に進む。
【００３８】
なお、本発明において、表示部２８上に表示する表示例である図４に図示したカメラの顔認識枠を例に取り上記オブジェクト強調表示処理を説明する。
【００３９】
このオブジェクト強調表示処理は図４（ａ）に図示するように、図４（ｃ）に図示した顔認識枠４０１−ｃの通常表示と比較して、顔認識枠４０１−ａを視差方向と垂直方向の描画を強調して表示部２８上に表示する。これにより、ユーザが視差を認識しやすくする。
【００４０】
このような強調表示を、左右両眼に対する表示として表示部２８に表示する。また、図４（ｂ）に図示するように視差方向と水平方向の描画を図４（ｃ）に図示した通常表示４０１−ｃと比較して少なくなるような形状変化としても良い。さらに、上述した２つの強調表示方法を組み合わせても良い。
【００４１】
また、本発明において表示部２８上に表示する表示例である図５のカメラの操作メニューを例に取り上記強調表示処理を説明する。
【００４２】
このオブジェクト表示処理は、図５（ａ）のメニューアイコン５１１−ａに図示するように、視差方向と垂直方向の描画を図５（ｃ）に示す通常表示のメニューアイコン５１１−ｃと比較して強調表示することにより、ユーザが視差を認識しやすくする形状である。このような強調表示を、左右両眼に対する表示として表示部２８に表示する。また、図５（ｂ）に図示するようにメニューアイコン５１１−ｂを、図５（ｃ）に示す通常表示メニューアイコン５１１−ｃと比較して視差方向と水平方向の描画が少なくなるように形状変化させても良い。
【００４３】
さらに、上述した２つの強調表示方法を組み合わせても良い。Ｓ３０７において、システム制御部５０は、シャッターボタン６１、シャッターボタン６２、操作部７０、その他の内部設定の状態、を参照し、オブジェクトを表示継続するか非表示遷移するかを判定して、Ｓ３０８に進む。
【００４４】
Ｓ３０８において、上記Ｓ３０７の判定の判定結果が、表示継続の場合にはＳ３０９に進み、非表示遷移の場合にはＳ３０１に進む。
【００４５】
Ｓ３０９において、システム制御部５０タイマを経過時間に応じて減算する処理を行い、Ｓ３１０に進む。Ｓ３１０において、システム制御部５０は、前記所定の値t1が減算されタイマがタイムアウトしたかを判定し、タイムアウトした場合にはＳ３１１に進み、タイムアウトしていない場合にはＳ３０６に戻る。Ｓ３１１において、システム制御部５０は、オブジェクトを通常表示するよう画像処理部２４に指示して、Ｓ３１２に進む。
【００４６】
Ｓ３１２において、システム制御部は、シャッターボタン６１、シャッターボタン６２、操作部７０、その他の内部設定の状態、を参照し、オブジェクトを表示継続するか非表示遷移するかを判定して、Ｓ３１３に進む。
【００４７】
Ｓ３０８において、上記Ｓ３０７の判定の判定結果が、表示継続の場合にはＳ３１４に進み、非表示遷移の場合にはＳ３０１に進む。Ｓ３１４において、システム制御部は、シャッターボタン６１、シャッターボタン６２、操作部７０、その他の内部状態、を参照し、状態量変化が閾値を超過しているかを計測してＳ３１５に進む。なお、本実施例での一例として、内部状態として、レンズ１０３のフォーカス制御情報を元に被写体までの距離変化と被写体の画角内での移動量を算出し、その両者のいずれかが所定の閾値を超過するか判定する、ものとする。ただし、フォーカス制御情報に留まらず、各種カメラ状態量変化、その他内部状態の変化を状態量変化として計測することも容易である。Ｓ３１５において、前記Ｓ３１４で計測した状態量変化が閾値を超過している場合にはＳ３０５に進み、超過していない場合にはＳ３１１に進む。
【００４８】
なお、ユーザ操作や内部状態変化により、デジタルカメラを電源ＯＦＦする時などには、Ｓ３０１、Ｓ３１１、Ｓ３０６の前に電源ＯＦＦ遷移を判定して、上記処理を終了しても良い。
【００４９】
また、本実施形態は、撮像時の顔認識枠を一例として挙げるためデジタルカメラを例として説明したが、撮像を行わない表示装置においても、操作メニュー表示などで実施可能であり、本発明に含まれる。
【００５０】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００５１】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００５２】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００５３】
その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。
【００５４】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００５５】
13  Ｄ／Ａ、15  メモリ制御部、18  Ｉ／Ｆ、22  撮像部、23  Ａ／Ｄ、
24  画像処理部、28  表示部、30  電源部、32  メモリ、50  システム制御部、
52  システムタイマー、53  システムメモリ、56  不揮発性メモリ、
60  モード切替スイッチ、61  シャッターボタン(ＳＷ１)、
62  シャッターボタン(ＳＷ２)、70  操作部、72  電源スイッチ、
80  電源制御部、100  デジタルカメラ、101  シャッター、102  バリア、
103  レンズ、111  ケーブル、112  コネクタ、200  記録媒体、
201  記録媒体スロット、202  蓋
【図３】
2016010076.tif 000003
【図１】
2016010076.tif 000004
【図２】
2016010076.tif 000005
【図４】
2016010076.tif 000006
【図５】
2016010076.tif 000007